(57)【要約】【課題】係員の業務効率を改善可能となる紙幣処理機の提供。【解決手段】機外からバラ紙幣が投入される紙幣投入部１５と、紙幣投入部１５に投入されたバラ紙幣を識別する入金識別部１９と、入金識別部１９で識別されたバラ紙幣を一時貯留させる一時貯留部２７〜３０と、一時貯留部２７〜３０に一時貯留されたバラ紙幣を、入金操作部１６への操作入力で収納するバラ紙幣収納部３１〜３４と、バラ紙幣収納部３１〜３４に収納されたバラ紙幣を結束する結束部と、結束部で結束された小束紙幣を収納する金種別の小束収納部と、小束収納部に収納された小束紙幣を、出金操作部５２への操作入力で出金させる小束出金部とを有するもので、紙幣投入部１５および入金操作部１６を第１操作面１１Ａ側に配置する一方、小束出金部および出金操作部５２を第２操作面１１Ｂ側に配置する。【選択図】図１
2007193742.tif 000002
【特許請求の範囲】
【請求項１】
機外からバラ紙幣が投入される紙幣投入部と、
該紙幣投入部に投入されたバラ紙幣を識別する入金識別部と、
該入金識別部で識別されたバラ紙幣を一時貯留させる一時貯留部と、
該一時貯留部に一時貯留されたバラ紙幣を、入金操作部への操作入力で収納するバラ紙幣収納部と、
該バラ紙幣収納部に収納されたバラ紙幣を結束する結束部と、
該結束部で結束された小束紙幣を収納する金種別の小束収納部と、
該小束収納部に収納された小束紙幣を、出金操作部への操作入力で機外に取り出し可能に出金させる小束出金部とを有する紙幣処理機であって、
前記紙幣投入部および前記入金操作部を機体の一の操作面側に配置する一方、前記小束出金部および前記出金操作部を機体の他の一の操作面側に配置してなることを特徴とする紙幣処理機。
【発明の詳細な説明】
【技術分野】
【０００１】
本発明は、バラ紙幣の入金および入金されたバラ紙幣の結束を行うことができる紙幣処理機に関する。
【背景技術】
【０００２】
銀行等の金融機関で、係員だけが使用する出納機と呼ばれる紙幣処理機がある。この紙幣処理機は、銀行で取り扱う大量の紙幣を入金可能とするもので、機外からバラ紙幣が投入される紙幣投入部と、この紙幣投入部に投入されたバラ紙幣を識別する入金識別部と、この入金識別部で識別されたバラ紙幣を一時貯留させる一時貯留部と、一時貯留部に一時貯留されたバラ紙幣を、入金操作部への操作入力で収納するバラ紙幣収納部と、バラ紙幣収納部に収納されたバラ紙幣を結束する結束部と、この結束部で結束された小束紙幣を収納する金種別の小束収納部と、小束収納部に収納された小束紙幣を、出金操作部への操作入力で適宜機外へ取り出し可能に出金させる小束出金部とを有している（例えば、特許文献１参照）。
【特許文献１】特開２０００−１７７９３５号公報
【発明の開示】
【発明が解決しようとする課題】
【０００３】
上記した紙幣処理機は、大量の紙幣の入金が可能であるものの、係員だけが使用することを前提としているため、例えば、顧客が大量の紙幣を入金する依頼をした場合には、係員が入金を受け付け、その後、係員がこの紙幣を上記した紙幣処理機に入金させるといった業務の流れとなってしまう。しかしながら、このような業務の流れでは、効率化の点で改善の余地がある。
【０００４】
したがって、本発明は、係員の業務効率を改善可能となる紙幣処理機の提供を目的とする。
【課題を解決するための手段】
【０００５】
上記目的を達成するために、請求項１に係る発明は、機外からバラ紙幣が投入される紙幣投入部と、該紙幣投入部に投入されたバラ紙幣を識別する入金識別部と、該入金識別部で識別されたバラ紙幣を一時貯留させる一時貯留部と、該一時貯留部に一時貯留されたバラ紙幣を、入金操作部への操作入力で収納するバラ紙幣収納部と、該バラ紙幣収納部に収納されたバラ紙幣を結束する結束部と、該結束部で結束された小束紙幣を収納する金種別の小束収納部と、該小束収納部に収納された小束紙幣を、出金操作部への操作入力で機外に取り出し可能に出金させる小束出金部とを有する紙幣処理機であって、前記紙幣投入部および前記入金操作部を機体の一の操作面側に配置する一方、前記小束出金部および前記出金操作部を機体の他の一の操作面側に配置してなること特徴としている。
【発明の効果】
【０００６】
請求項１に係る発明によれば、紙幣投入部に投入されたバラ紙幣を一時貯留部を介してバラ紙幣収納部に収納し、収納したバラ紙幣を結束部で結束して金種別の小束収納部に収納可能であることから大量の紙幣を入金可能となるが、このように大量の紙幣を入金可能とし、しかも機体の一の操作面側に紙幣投入部および入金操作部を設けることで、顧客が大量の紙幣を入金しようと持ち込んだ場合に、この大量の紙幣を顧客が紙幣投入部に投入し入金操作部を操作して入金できることになる。したがって、顧客が大量の紙幣を入金しようと持ち込んだ場合に、係員が入金を受け付けて入金処理を行う必要がなくなり、係員の業務効率を改善可能となる。他方、小束収納部に収納された小束紙幣を係員が出金させる場合には、機体の他の一の操作面側に設けられた出金操作部を操作することで、同じく機体の他の一の操作面側に設けられた小束出金部に小束紙幣を出金させることができる。
【発明を実施するための最良の形態】
【０００７】
本発明の一実施形態の紙幣処理機を図面を参照して以下に説明する。
本実施形態の紙幣処理機１１は、銀行等の金融機関の店舗に設置されるものであるが、通常、金融機関の店舗は、顧客が行き来可能な顧客側スペースＳ１と顧客の立ち入りが制限され係員のみが行き来可能な係員側スペースＳ２とに仕切Ｗで区分けされている。そして、本実施形態の紙幣処理機１１は、機体の第１操作面（一の操作面）１１Ａ側を顧客側スペースＳ１に臨ませる一方、第１操作面１１Ａとは反対の第２操作面（他の一の操作面）１１Ｂ側を係員側スペースＳ２に臨ませて設置される。
【０００８】
第１操作面１１Ａ側には、顧客側スペースＳ１にいる人間つまり主として顧客によって機外からバラ紙幣が長手方向を横向きにして投入される紙幣投入部１５と、顧客側スペースＳ１の顧客によって操作されるとともに、顧客に対し表示を行う入金操作表示部（入金操作部）１６とが配置されている。ここで、紙幣投入部１５よりも上側に入金操作表示部１６が設けられている。
【０００９】
紙幣投入部１５の下部には紙幣投入部１５に投入されたバラ紙幣を一枚ずつ分離して機内に繰り出す図示略の分離繰出部が設けられており、この分離繰出部の下側には、分離繰出部で繰り出されたバラ紙幣を搬送する搬送部１８が設けられている。また、搬送部１８の途中には、搬送部１８で搬送中のバラ紙幣の真偽、金種、正損および重送を識別して計数を行う入金識別部１９が設けられており、搬送部１８における入金識別部１９よりも下流側には、バラ紙幣の表裏を適宜反転させる表裏反転部２０が設けられている。表裏反転部２０は、入金識別部１９の識別結果に基づいて適宜バラ紙幣を反転させることでバラ紙幣の表裏を取り揃える。搬送部１８の入金識別部１９よりも下流側からは、分岐搬送部２１が分岐されており、分岐搬送部２１の端末には、入金識別部１９で受け入れ不可紙幣と識別された、真紙幣以外のリジェクト紙幣を機外に取り出し可能にリジェクトする入金リジェクト部２２が設けられている。この入金リジェクト部２２は、可動板２２ａで紙幣投入部１５に対し仕切られた状態で紙幣投入部１５と並んで第１操作面１１Ａ側に設けられており、顧客側スペースＳ１にいる顧客によってリジェクト紙幣が取り出されるようになっている。
【００１０】
また、搬送部１８の表裏反転部２０よりも下流側には、入金識別部１９で識別されたバラ紙幣のうち入金可能紙幣と識別され表裏反転部２０で適宜表裏が取り揃えられたバラ紙幣を入金識別部１９の識別結果に基づいて振り分ける複数具体的には三カ所の分岐搬送部２３，２４，２５が順に分岐しており、各分岐搬送部２３，２４，２５の端末および搬送路１８の端末には、それぞれ、振り分けられたバラ紙幣を一時貯留させる一時貯留部２７，２８，２９，３０が接続されている。ここで、最も上流側の分岐搬送部２３に接続された一時貯留部２７には、例えば五千円券および二千円券が金種混合で一時貯留されることになり、上流側から二番目の分岐搬送部２４に接続された一時貯留部２８には、例えば千円券のみが一時貯留されることになり、上流側から三番目の分岐搬送部２５に接続された一時貯留部２９には、例えば万円券のみが一時貯留されることになり、搬送部１８の端末に接続された一時貯留部３０には、例えば金種別に分類して収納しきれないオーバーフロー紙幣が一時貯留されることになる。つまり、紙幣処理機１１には、入金識別部１９で識別されたバラ紙幣を一時貯留させる金種別の一時貯留部２８，２９を含む複数の一時貯留部２７，２８，２９，３０が設けられている。
【００１１】
なお、一時貯留部３０の上部には、一時貯留紙幣の入金リジェクト部２２への返却のために一時貯留部３０のバラ紙幣を一枚ずつ分離して繰り出す図示略の繰出部が設けられており、この繰出部で繰り出されたバラ紙幣を搬送する搬送部３６が上記した搬送部１８の入金識別部１９よりも上流側に合流している。つまり、一時貯留部３０のバラ紙幣が搬送部３６から搬送部１８の一部および搬送部２１を介して入金リジェクト部２２へ返却される。
【００１２】
また、一時貯留部２７〜２９の上部にも、一時貯留紙幣の入金リジェクト部２２への返却のために一時貯留部２７〜２９のバラ紙幣を一枚ずつ分離して分岐搬送部２３〜２５の対応するものに繰り出す図示略の繰出部がそれぞれ設けられている。つまり、一時貯留部２７〜２９のバラ紙幣が、分岐搬送路２３〜２５、搬送路１８の一部、連結搬送路３９、搬送路１８の他の一部および分岐搬送部２１を介して入金リジェクト部２２へ返却される。
【００１３】
各一時貯留部２７〜３０のそれぞれの下方には、一対一で対応してバラ紙幣収納部３１，３２，３３，３４が設けられている。ここで、最も上流側の一時貯留部２７の下方に設けられたバラ紙幣収納部３１は、一時貯留部２７からの例えば五千円券および二千円券を金種混合で上部開口を介して受け入れて収納することになり、上流側から二番目の一時貯留部２８の下方に設けられたバラ紙幣収納部３２は、一時貯留部２８からの例えば千円券のみを上部開口を介して受け入れて収納することになり、上流側から三番目の一時貯留部２９の下方に設けられたバラ紙幣収納部３３は、一時貯留部２９からの例えば万円券のみを上部開口を介して受け入れて収納することになり、最も下流側の一時貯留部３０の下方に設けられたバラ紙幣収納部３４は、一時貯留部３０からの、他のバラ紙幣収納部３１，３２，３３に収納しきれないオーバーフロー紙幣を金種混合で上部開口を介して受け入れて収納することになる。つまり、紙幣処理機１１には、金種別の一時貯留部２８，２９に一時貯留されたバラ紙幣を収納する金種別のバラ紙幣収納部３２，３３を含む複数のバラ紙幣収納部３１，３２，３３，３４が設けられている。
【００１４】
なお、オーバーフロー紙幣用のバラ紙幣収納部３４は、一時貯留部３０の上部の図示略の繰出部で、収納したバラ紙幣を再び振り分けるようになっている。つまり、この繰出部でバラ紙幣収納部３４から搬送部３６に繰り出されたバラ紙幣を搬送部１８の一部で搬送し入金識別部１９で識別して、分岐搬送部２３〜２５で各一時貯留部２７，２８，２９に振り分けるようになっている。
【００１５】
ここで、顧客によって紙幣投入部１５にバラ紙幣が投入されて入金操作表示部１６に入金開始の操作入力がなされると、制御部３７は、図示略の分離繰出部で紙幣投入部１５からバラ紙幣を繰り出し、入金識別部１９の識別結果に基づいて、搬送部１８および分岐搬送部２１でリジェクト紙幣を入金リジェクト部２２に、搬送部１８および分岐搬送部２３〜２５で、受け入れ可能なバラ紙幣を計数しつつ一時貯留部２７〜３０のうちの対応するものに搬送する一時貯留処理を行う。そして、例えば、一時貯留処理が終了して、紙幣投入部１５のバラ紙幣がすべて、入金リジェクト部２２および一時貯留部２７〜３０のいずれかに搬送されると、制御部３７は、入金識別部１９の識別結果を入金操作表示部１６に表示させる。これを見た顧客が、入金操作表示部１６に承認操作を入力すると、制御部３７は、すべての一時貯留部２７〜３０に一時貯留されていたバラ紙幣をバラ紙幣収納部３１〜３４に収納させる収納処理を行うことになる。他方、顧客が入金操作表示部１６にキャンセル操作を入力すると、制御部３７は、すべての一時貯留部２７〜３０からバラ紙幣を入金リジェクト部２２に送り出す。ここで、上記した紙幣投入部１５、入金識別部１９、入金リジェクト部２２、一時貯留部２７〜３０およびバラ紙幣収納部３１〜３４は、制御部３７で制御されることにより、機外から投入されたバラ紙幣を識別して一時貯留させる一時貯留処理および一時貯留されたバラ紙幣を収納する収納処理からなる入金処理を行う入金機構３８を構成している。
【００１６】
金種別のバラ紙幣収納部３２，３３を含むバラ紙幣収納部３１〜３３は、収納しているバラ紙幣をそれぞれの下部に設けられた図示略の繰出部から搬送部４０に繰出可能となっており、搬送部４０には、バラ紙幣の重送の有無を検出する重送検出部４１が設けられている。搬送部４０の端末には、重送検出部４１で重送が検出された結束不可紙幣を収納するリジェクトボックス４２が設けられている。なお、第１操作面１１Ａを機体前面とすると（以下同様）、上記した紙幣投入部１５、入金識別部１９、入金リジェクト部２２、一時貯留部２７〜３０、バラ紙幣収納部３１〜３４、重送検出部４１およびリジェクトボックス４２は、機体左右方向一側具体的には第１操作面１１Ａ側から見て右側に配設されている。
【００１７】
また、搬送部４０には、重送検出部４１よりも下流側かつリジェクトボックス４２よりも上流側から分岐搬送部４４が分岐しており、分岐搬送部４４は、重送検出部４１で識別されたバラ紙幣のうち結束可能紙幣と識別されたバラ紙幣を図２に示す結束部４５に搬送する。
【００１８】
結束部４５は、搬送されてきたバラ紙幣を所定枚数（１００枚）ずつ集積して結束テープを巻き回して結束することになり、結束部４５で結束した小束紙幣を、昇降可能な小束振分部４３が金種別の複数具体的には三カ所の小束収納部４６，４７，４８に振り分けて収納させる。これら小束収納部４６，４７，４８は、それぞれが、機体前後方向に沿う状態で、互いに上下方向に重ねられるように設けられている。ここで、例えば、最も上側の小束収納部４６に万円券の小束紙幣が、中間の小束収納部４７にも万円券の小束紙幣が、最も下側の小束収納部４８に千円券の小束紙幣がそれぞれ収納されることになる。つまり、紙幣処理機１１には、バラ紙幣収納部３２，３３に収納されたバラ紙幣を結束する結束部４５と、結束部４５で結束された小束紙幣を振り分ける小束振分部４３と、小束振分部４３で振り分けた小束紙幣を収納する金種別の小束収納部４６，４７，４８とが設けられている。ここで、小束収納部４６，４７，４８は、小束紙幣を長手方向が上下に向くように立てた状態とし厚さ方向を機体前後方向に沿わせた姿勢で機体前側から一束ずつ受け入れて、機体前後方向に重ねるように収納する。ここで、上記した結束部４５、小束振分部４３および小束収納部４６〜４８が、制御部３７で制御されることにより、入金機構３８によって収納されたバラ紙幣を機内で結束して小束紙幣として収納する整理処理を行う結束収納機構４９を構成している。
【００１９】
各金種別の小束収納部４６，４７，４８は、それぞれ収納している小束紙幣を機体後側のものから一束ずつ繰出可能であり、小束収納部４６，４７，４８の機体後側には小束収納部４６，４７，４８から繰り出された小束紙幣を受け入れる昇降可能なエレベータ５０が設けられている。
【００２０】
第２操作面１１Ｂ側には、エレベータ５０が受け入れた小束紙幣をエレベータ５０の上昇で機外に取り出し可能とする開閉可能なシャッタ５３が設けられた小束出金部５１と、小束出金部５１に小束紙幣を出金させるための操作入力が行われる出金操作表示部（出金操作部）５２とが設けられている。つまり、第２操作面１１Ｂ側には、係員側スペースＳ２にいる人間つまり主として係員によって機外へ小束紙幣を出金可能とする小束出金部５１と、係員側スペースＳ２の係員によって操作されるとともに、係員に対し表示を行う出金操作表示部５２とが配置されている。ここで、小束出金部５１よりも上側に出金操作表示部５２が設けられている。なお、エレベータ５０と小束出金部５１とが、制御部３７で制御されることにより、結束収納機構４９によって収納された小束紙幣を機外へ出金する小束出金処理を行う小束出金機構５４を構成している。
【００２１】
なお、上記した結束部４５、小束収納部４６〜４８、小束振分部４３、エレベータ５０および小束出金部５１は、機体左右方向逆側具体的には第１操作面１１Ａ側から見て左側に配設されている。
【００２２】
ここで、制御部３７は、例えば、金種別のバラ紙幣収納部３２，３３のうちのいずれかにおいてバラ紙幣が結束可能な所定枚数になると、自動的にこのバラ紙幣収納部からバラ紙幣を繰り出させて、結束不可紙幣を搬送部４０でリジェクトボックス４２に、結束可能紙幣を搬送部４０および分岐搬送部４４で結束部４５に搬送する。そして、結束部４５に搬送されたバラ紙幣が結束枚数になると、制御部３７は結束部４５でバラ紙幣を結束させて、小束収納部４６〜４８のうちの対応するものに収納させることになる。なお、係員によって出金操作表示部５２に整理処理の操作入力がなされた場合に、制御部３７が、バラ紙幣収納部３２，３３のうちの設定されたものからバラ紙幣を繰り出して結束部４５で結束させて小束収納部４６〜４８のうちの対応するものに収納させるようにしても良い。
【００２３】
また、係員によって出金操作表示部５２に出金設定の操作入力がなされると、制御部３７が、小束収納部４６〜４８から、設定された小束紙幣をエレベータ５０に繰り出させエレベータ５０で運んで小束出金部５１から機外に取り出し可能に出金させることになる。
【００２４】
以上に述べた本実施形態の紙幣処理機１１によれば、紙幣投入部１５に入金されたバラ紙幣を一時貯留部２７〜３０を介してバラ紙幣収納部３１〜３４に収納し、バラ紙幣収納部３２，３３に収納したバラ紙幣を結束部４５で結束して金種別の小束収納部４６〜４８に収納可能であることから大量の紙幣を入金可能となるが、このように大量の紙幣を入金可能とし、しかも第１操作面１１Ａ側に紙幣投入部１５および入金操作表示部１６を設けることで、顧客が大量の紙幣を入金しようと持ち込んだ場合に、この大量の紙幣を顧客が紙幣投入部１５に投入し入金操作表示部１６を操作して入金できることになる。したがって、顧客が大量の紙幣を入金しようと持ち込んだ場合に、係員が入金を受け付けて入金処理を行う必要がなくなり、係員の業務効率を改善可能となる。他方、小束収納部４６〜４８に収納された小束紙幣を係員が出金させる場合には、第２操作面１１Ｂ側に設けられた出金操作表示部５２を操作することで、同じく第２操作面１１Ｂ側に設けられた小束出金部５１に小束紙幣を出金させることができる。
【００２５】
しかも、入金処理で使用される紙幣投入部１５からバラ紙幣収納部３１〜３４までの構成のうち、一時貯留処理を行う紙幣投入部１５から一時貯留部２７〜３０までの構成は、整理処理および小束出金処理で使用されるバラ紙幣収納部３２，３３から小束出金部５１までの構成とは、全く処理上重ならないため、バラ紙幣の結束および係員による小束出金と並行して顧客による入金処理を行うことができる。したがって、係員の業務効率だけでなく顧客の処理効率も改善可能となる。
【００２６】
なお、以上の実施形態の紙幣処理機１１では、金種別のバラ紙幣収納部３２，３３のバラ紙幣をバラの状態では、顧客または係員用のいずれにも出金しないように構成しているが、顧客用に、第１操作面１１Ａ側の入金リジェクト部２２をバラ紙幣の出金部として兼用可能とし、これに搬送部４０から搬送部１８または分岐搬送部２１へ分岐する分岐搬送路を接続させ、入金操作表示部１６にバラ紙幣の出金設定の操作入力がなされると、制御部３７が、バラ紙幣収納部３２，３３から、設定された枚数のバラ紙幣を搬送部４０、分岐搬送路および分岐搬送部２１を介して入金リジェクト部２２に繰り出すようにしても良く、あるいは、係員用に、第２操作面１１Ｂ側にバラ紙幣を機外に取り出し可能とするバラ紙幣出金部を設けて、これに搬送部４０から分岐する分岐搬送路を接続させ、出金操作表示部５２にバラ紙幣の出金設定の操作入力がなされると、制御部３７が、バラ紙幣収納部３２，３３から、設定された枚数のバラ紙幣を搬送部４０および分岐搬送路を介してバラ紙幣出金部に繰り出すようにしても良い。この場合も、バラ紙幣収納部３２，３３から繰り出されたバラ紙幣の重送を重送検出部４１で検出することになり、重送検出部４１で重送が検出されなかったバラ紙幣のみバラ紙幣出金部に繰り出すことになり、重送検出部４１で重送が検出された出金不可紙幣はリジェクトボックス４２に収納させることになる。
【００２７】
また、以上の実施形態の紙幣処理機１１では、複数の一時貯留部２７〜３０に一時貯留処理したバラ紙幣を、キャンセル操作により顧客に返却する際、複数の一時貯留部２７〜３０からバラ紙幣を入金リジェクト部２２に送り出すように構成しているが、複数の一時貯留部２７〜３０を第１操作面１１Ａ側に引き出し可能に構成して、一時貯留された状態で、取り出せるようにしても良い。
【図面の簡単な説明】
【００２８】
【図１】本発明の一実施形態の紙幣処理機を示す概略断面図である。
【図２】本発明の一実施形態の紙幣処理機を示す概略断面図である。
【符号の説明】
【００２９】
１１  紙幣処理機
１１Ａ  第１操作面
１１Ｂ  第２操作面
１５  紙幣投入部
１６  入金操作表示部（入金操作部）
１９  入金識別部
２７〜３０  一時貯留部
３１〜３４  バラ紙幣収納部
４５  結束部
４６〜４８  小束収納部
５１  小束出金部
５２  出金操作表示部（出金操作部）
【図１】
2007193742.tif 000003
【図２】
2007193742.tif 000004